(57)【特許請求の範囲】
【請求項１】
キッチンシンク，洗面器等水槽からの排水を下向きに流通案内する立下り管部と、該立下り管部に続く底部と、該底部より立ち上がる立上り管部と、該立上り管部に続く横向きの連絡管部とを備えた排水管トラップに対し、少なくとも上部が立下り形状をなす排水本管を該連絡管部で連絡した形態の排水装置において
前記立上り管部の上部に、該立上り管部の管軸と直角方向に急拡大し且つ前記連絡管部の該立上り管部側の端よりも上向きに突出した形状の容器部を形成して、該容器部を、排水時に排水の一部を収容保持し、排水終了時に該保持した排水を前記底部側に返水する補給タンク部となしたことを特徴とする排水装置。
【請求項２】
請求項１において、前記連絡管部の少なくとも前記立上り管部に続く部分を、該立上り管部に向かって下向きに傾斜する傾斜形状となしたことを特徴とする排水装置。
【請求項３】
請求項１において、前記連絡管部の少なくとも前記排水本管に続く部分を、該排水本管に向かって下向きに傾斜する傾斜形状となしたことを特徴とする排水装置。
【請求項４】
請求項２，３の何れかにおいて、前記連絡管部を前記立上り管部側と前記排水本管側とに分け、該立上り管部側の部分を該立上り管部に向かって、また該排水本管側の部分を該排水本管に向かってそれぞれ下向きに傾斜した形状となしたことを特徴とする排水装置。
【発明の詳細な説明】
【０００１】
【発明の属する技術分野】
この発明はキッチンシンク，洗面器等水槽からの排水を外部に排出するための排水装置に関し、詳しくは排水管トラップを備えた排水装置に関する。
【０００２】
【従来の技術】
キッチンシンク，洗面器等の水槽からの排水を外部に排出するための排水装置として、従来、図１６に示すような装置が用いられている。
同図において２００はキッチンシンク，洗面器等の水槽で、その排水口に対して排水管トラップ２０４及び排水本管２０６を有する排水装置２０２が接続され、水槽２００からの排水がこの排水装置２０２を通じて外部に排出されるようになっている。
【０００３】
排水管トラップ２０２は、立下り管部２０８と、これに続く底部２１０と、底部２１０から上向きに立ち上がる立上り管部２１２と、これに続く連絡管部２１４とを備えており、その連絡管部２１４において排水管トラップ２０４と排水本管２０６とが連絡されている。
【０００４】
而して排水管トラップ２０４は、立下り管部２０８及び立上り管部２１２の下部と底部２１０とにおいて封水を保持し、下流からの臭気の逆流を防止するようになっている。
【０００５】
この排水装置２０２の場合、水槽２００内の水の排水時に排水本管２０６における流下水によって排水管トラップ２０４内部に負圧が作用し、排水管トラップ２０４内部の糸屑等の異物が同排水管トラップ２０４内部の排水とともにサイフォン現象によって下流側、つまり排水本管２０６側に引き込まれ、良好に外部に排出される。
そして排水末期の水槽２００からの落下水が排水管トラップ２０４内部に一定量保持されて水封を行う。
【０００６】
【発明が解決しようとする課題】
しかしながらこの排水装置の場合、従来次のような問題が生じていた。
即ち、上記排水管トラップ２０４においてサイフォン現象が発生したときに、水槽２００の排水口やオーバーフロー孔等から空気を巻き込んで「ゴボゴボ」といった騒音を発生し、或いはまたサイフォン現象が強く起きたときに、排水管トラップ２０４に保持される封水が排水本管２０６側に強く引き込まれて封水量が少なくなるといった問題を生じていた。
特に図１７に示すような形態の排水管トラップを有するものの場合、場合によって封水切れを生じるおそれがあった。
【０００７】
図１７に示す形態の排水装置２０２Ａは、排水管トラップ２０４Ａにおける底部２１０Ａが略水平な直状形態、つまり図１６に示す従来の排水管トラップ２０４のように底部２１０が上向きの湾曲状を成しておらず、略水平な直状形態を成しているもので、この排水管トラップ２０４Ａの場合、底部２１０Ａの下面位置を上方に位置させることができ、従ってこれを洗面化粧台の洗面器の排水装置に適用した場合、キャビネットにおける排水管トラップ２０４Ａの下側の収納空間を広く確保できる利点が得られるが、一方で封水深が浅くなることによって上記のような封水切れを起こしやすい。
【０００８】
【課題を解決するための手段】
本願の発明はこのような課題を解決するためになされたものである。
而して請求項１の排水装置は、キッチンシンク，洗面器等水槽からの排水を下向きに流通案内する立下り管部と、該立下り管部に続く底部と、該底部より立ち上がる立上り管部と、該立上り管部に続く横向きの連絡管部とを備えた排水管トラップに対し、少なくとも上部が立下り形状をなす排水本管を該連絡管部で連絡した形態の排水装置において、前記立上り管部の上部に、該立上り管部の管軸と直角方向に急拡大し且つ前記連絡管部の該立上り管部側の端よりも上向きに突出した形状の容器部を形成して、該容器部を、排水時に排水の一部を収容保持し、排水終了時に該保持した排水を前記底部側に返水する補給タンク部となしたことを特徴とする。
【０００９】
請求項２の排水装置は、請求項１において、前記連絡管部の少なくとも前記立上り管部に続く部分を、該立上り管部に向かって下向きに傾斜する傾斜形状となしたことを特徴とする。
【００１０】
請求項３の排水装置は、請求項１において、前記連絡管部の少なくとも前記排水本管に続く部分を、該排水本管に向かって下向きに傾斜する傾斜形状となしたことを特徴とする。
【００１１】
請求項４の排水装置は、請求項２，３の何れかにおいて、前記連絡管部を前記立上り管部側と前記排水本管側とに分け、該立上り管部側の部分を該立上り管部に向かって、また該排水本管側の部分を該排水本管に向かってそれぞれ下向きに傾斜した形状となしたことを特徴とする。
【００１２】
【作用及び発明の効果】
請求項１の排水装置は、排水管トラップに、排水時に排水の一部を収容保持し、排水終了時にその保持した排水を排水管トラップの底部側に返水する補給タンク部を設けたもので、この排水装置によれば、サイフォン現象に基づく排水管トラップにおける封水切れを良好に防止することができる。
【００１３】
またこの排水装置は、立上り管部の上部をその管軸と直角方向に急拡大した形態で補給タンク部を形成したので、この排水装置の場合、排水中に含まれる砂やごみ等が補給タンク部に残り、堆積するといった問題を生じない利点を有する。
更にこの排水装置では、補給タンク部の上部が連絡管部の立上り管部側の端よりも上向きに突出した形態をなしているため、その上向きに突出した部分の内部を主として空気溜り部として作用させることができ、その空気溜り部としての作用によりサイフォン現象を抑制でき、騒音の発生及び封水切れの発生を抑制することができる。
【００１４】
請求項２の排水装置は、上記連絡管部の少なくとも一部、具体的には立上り管部側の部分を、その立上り管部に向かって下向きに傾斜した形状となしたもので、このようにした場合、連絡管部内部の砂やごみ等をその傾斜形状に基づいて排水本管に向けて円滑に排出することができ、連絡管部内にそれらが残って堆積するのを抑制することができる。
【００１５】
更にまたこの連絡管部は、排水本管側の部分をその排水本管に向かって下向きに傾斜した形状となすこともできる（請求項３）。このようにした場合にも、連絡管部内部の砂やごみ等を排水本管に向けて排出することができる。
【００１６】
上記のように連絡管部を傾斜させる場合において、その連絡管部を立上り管部側と排水本管側とに分け、その立上り管部側の部分を立上り管部に向かって、また排水本管側の部分を排水本管に向かってそれぞれ下向きに傾斜した形状となすことができる（請求項４）。
【００１７】
連絡管部が比較的長い場合、それら全体を一定方向に傾斜させた場合、連絡管部内の砂やごみ等を全部排水本管側に排出することは難しい。
【００１８】
しかるに請求項４に従って連絡管部を立上り管部側と排水本管側とに分けて、それぞれを逆向きに傾斜させるようにした場合、連絡管部内部の砂やごみ等を全体的に且つ良好に排出させることができる。
【００１９】
【実施例】
次に本発明の実施例を参考例とともに図面に基づいて詳しく説明する。
図１において、１０は洗面化粧台で、１２は洗面器、１４は洗面器水栓である。１６は洗面化粧台１０におけるキャビネットであって、内部に排水管トラップ１８と排水本管２０とを有する排水装置２２（参考例）が設けられている。
【００２０】
図２は上記排水装置２２の構成を具体的に示したものである。
同図において、２４は洗面器１２の底部に形成された開口で、この開口２４に対してフランジ２６を備えた金属製且つ円筒形状の排水口部材２８が下向きに挿通されており、この排水口部材２８によって排水口３０が形成されている。
【００２１】
排水口部材２８は、下端部外周面に雄ねじ部を有しており、その雄ねじ部に対して、洗面器１２の裏面側から締付ナット３２が締め込まれており、その締付ナット３２の締付力によって排水口部材２８がパッキン３４，３６及びスリップワッシャ３３を介して洗面器１２の底部に固定されている。
【００２２】
締付ナット３２には、下向きに開口した環状溝３８が形成されており、そこに排水管トラップ１８における立下り管部４０の上端部の環状突部４２がシール材としてのＯリング４４を介して水密に且つ相対回転可能に嵌合した状態で組み付けられている。ここで環状突部４２の外周面には下向きの段付面４６が形成されている。
【００２３】
一方締付ナット３２の、環状溝３８より外側部分には、図３にも示しているように嵌込溝４８が形成されており、その嵌込溝４８内部に抜止部材として弾性Ｃリング５０が嵌め込まれてその内周部が段付面４６に対して係合され、以て排水管トラップ１８の上端部が締付ナット３２から抜止めされている。
【００２４】
上記排水管トラップ１８は、排水口部材２８に続いて真直ぐ下向きに立ち下がる上記立下り管部４０と、これに続く底部５２と、底部５２の図中右端から起立状態に真直ぐ立ち上がる立上り管部５４と、その上端に続いて水平方向に延びる連絡管部５６とを有しており、その連絡管部５６の末端部下面に対して前記排水本管２０が連絡されている。
【００２５】
本例において、底部５２は図１６に示す従来の排水管トラップの底部のように湾曲形状を成しておらず、左右方向に直状に延びる直状形態を成している。
【００２６】
尚、本例において立下り管部４０，立上り管部５４及び排水本管２０のそれぞれの内径寸法Ｄ１，Ｄ２及びＤ３はそれぞれ３４ｍｍφ，２８ｍｍφ，２８ｍｍφとされている。
【００２７】
本例においては、連絡管部５６の末端部が上向きに部分的に突出させられており、その突出部５８の内側に空気溜り部６０が形成されている。また連絡管部５６の末端部底面から排水本管２０の、連絡管部５６側の内側壁面２０Ａにかけての部分が下向きに直角に折れ曲がった角形状とされている。
即ち、連絡管部５６の底面と排水本管２０の内側壁面２０Ａとの交差部が９０°で交わる角部６２とされている。
【００２８】
尚、連絡管部５６における末端部の底面５６Ａ及び排水本管２０の内側壁面２０Ａの上端部は、これを図９（Ｂ），（Ｃ）に示しているように平坦面としておくことが望ましい。
【００２９】
図４は本例の排水装置における排水時の水の流れを模式的に表したもので、同図に示しているように本例の排水装置の場合、排水時において空気溜り部６０に空気が閉じ込められて保持された状態となる。即ちそこに空気溜りが生成する。そしてその空気溜りの作用によって、排水時におけるサイフォン現象が抑制される。
【００３０】
更にまた本例の排水装置の場合、連絡管部５６を水平方向に流通した排水の流れは、自身の水勢で排水本管２０における内側壁面２０Ａとは反対側の外側壁面２０Ｂに突き当たるようにして排水本管２０内部に流れ込む。
【００３１】
この結果、図４に示しているように角部６２の下側において排水本管２０内部を上下に通る空気層６４が形成される。そしてこの空気層６４によってもサイフォン現象が抑制される。
【００３２】
このため本例の排水装置２２の場合、排水時において空気を巻き込んだ騒音、即ち「ゴボゴボ音」の発生が抑制されると同時に、排水管トラップ１８における封水切れが防止される。
【００３３】
本例においては、連絡管部５６の一部を部分的に上向きに突出させて、その突出部５８の内側に空気溜り部６０を形成するようにしているため、その空気溜り部６０を大きく形成することができ、排水時のサイフォン作用を効果的に抑制することができる。しかもその空気溜り部６０を簡単に構成することができる。
【００３４】
そしてまた上記空気層６４の存在がサイフォン現象の抑制を助けるように作用し、サイフォン作用が強すぎることによって発生する大きな「ゴボゴボ音」や封水切れの発生を更に有効に防止する。
【００３５】
図５は上記突出部５８を連絡管部５６の左右方向中間部に設けて、その内側に空気溜り部６０を設けた場合の例で、このようにした場合にも、排水時において空気溜り部６０に空気を閉じ込めた状態に保持することができ、従って図５のようにした場合にもその空気溜り部６０の作用によって、排水時のサイフォン現象を抑制でき、上記実施例と同様に騒音の発生や封水切れを抑制することができる。
【００３６】
尚、この実施例では連絡管部５６の末端上部が下向きに折れ曲がった形状を成していて、そこに角部６６が形成されている。そしてこの角部６６の内部が空気溜り部６８とされている。
【００３７】
従ってこの例の排水装置の場合、排水時においてその角部６６の内側にも空気が閉じ込められて保持され、その空気溜り部６８内の空気の作用でサイフォン作用が更に抑制される。
【００３８】
上記突出部５８及び空気溜り部６０は、図６（Ａ）に示しているように連絡管部５６の末端部を水平方向に横向き（後方向き）に突出させて形成することもできる。
また連絡管部５６は、これを正しく水平向きに形成するのみならず、図６（Ｂ）に示しているように若干傾斜した形状に形成することもできる。
【００３９】
そして上記突出部５８及び空気溜り部６０は、図６（Ｂ）に示しているようにその若干傾斜した形状の連絡管部５６の末端部に形成しても良いし、或いは（Ｃ）に示しているようにその中間部分に上向きに形成することもできる。
【００４０】
ここで図７に示しているように連絡管部の一部を部分的に突出させた形態の突出部及びその内部の空気溜り部を設けることなく、連絡管部５６の末端上部を角形状に形成して、その角部６６の内側にのみ空気溜り部６８を形成するといったことも可能である。
【００４１】
このようにした場合であっても、洗面器１２からの排水の勢いが著しく強い場合でないとき、十分に騒音の発生と封水切れの発生を抑制することができる。
【００４２】
即ち、洗面器１２を満水とした状態でその排水栓を上側に浮き上がらせて排水口と排水栓との間に隙間を形成し、その隙間から満水状態の水を流すような場合においても、十分に上記騒音の発生と封水切れの発生を防止することが可能である。
そして上記のような突出部５８及びその内側の空気溜り部６０を付加した場合には、更にそれらの効果を高めることができる。
【００４３】
図８及び図９は他の参考例を示している。
この例は、排水時において排水の一部を一時的に収容保持し、そして排水終了時にその収容保持した排水を排水管トラップ１８の底部５２側に自動的に返水する容器状の補給タンク部７０を立上り管部５４と連絡管部５６にまたがる形態でその連絡管部５６の下側に設けたものである。
ここで補給タンク部７０は、上面及び図中左端面が連絡管部５６及び立上り管部５４に開放された形態で設けられている。
【００４４】
ここで補給タンク部７０及び連絡管部５６は、図９（Ａ）に示しているようにそれぞれ断面形状が円形状をなしており、開口部７２においてそれらが上下に互いに連通させられている。
即ち補給タンク部７０及び連絡管部５６、厳密には連絡管部５６における補給タンク部７０の上側部分は、全体として断面だるま形状をなしており、それら補給タンク部７０と連絡管部５６との境界部にくびれ部７４が形成されている。
【００４５】
尚、連絡管部５６における末端部の底面５６Ａの形状は、図９（Ｂ）に示しているようにフラットな形状とされている。
また（Ｃ）に示しているように、排水本管２０における内側壁面２０Ａの上端部形状もまたフラットな形状とされている。
【００４６】
図１０は上記図８，図９の排水装置における排水時の水の流れの挙動を模式的に表したものである。
図に示しているようにこの例の排水装置の場合、洗面器１２内部の水が勢い良く排水されるとき、その排水の一部が補給タンク部７０内に収容保持される。
そして排水終了時、即ち排水の流れの勢いが弱くなったとき、補給タンク部７０に一時的に収容保持されていた水が排水管トラップ１８における底部５２側に返水される。
【００４７】
本例の排水装置は次のような知見の下に案出されたものである。
洗面器１２内部に水を満水状態に溜めた状態で、排水口３０の栓体を抜き取って排水口３０を完全な開放状態とし、その状態で洗面器１２内部の満水状態の水を排水すると、その排水は激しい勢いで配水管トラップ１８及び排水本管２０内を流れる。
この状態においてサイフォン現象を十分に抑制することは困難であり、上記例示した実施例の排水装置では封水切れを完全に防止することは難しい。
【００４８】
そこで図８及び図９の装置は、サイフォン現象を抑制することで封水切れを防止するのではなく、排水終了時において水の流れの勢いが弱まったところで、それまでに一時的に収容保持していた排水を排水管トラップ１８の底部５２側へと返水することで、封水切れを防止するようになしたものである。
従ってこの例の排水装置の場合、水の流れの勢いが著しく強く、サイフォン現象が過剰に起こるような条件の下でも、十分に封水切れを防止することが可能である。
【００４９】
尚、本例の装置においては連絡管部５６の末端部に角部６６，６２及び角部６６の内側の空気溜り部６８が形成されており、従って排水の勢いが中間程度、具体的には洗面器１２内部に水を満水状態に湛えた状態で、底部の栓体を僅かに浮き上がらせることで排水を行うような場合にはサイフォン現象を十分に抑制でき、空気の巻き込みによる騒音の発生やサイフォン現象に基づく封水切れを十分に防止することが可能である。
【００５０】
図１１は補給タンク部の他の形態例を示したもので、このうち（Ａ）に示すものは、立上り管部５４の上端部を図中左向きに突出させて補給タンク部７６を形成した例であり、また図１１（Ｂ）の例は、立上り管部５４の上端部を立上り管部５４及び連絡管部５６の各管軸方向と直角方向に突出する容器部を形成して補給タンク部７８と成した例である。
また更に（Ｃ）の例は、図１１（Ｂ）の例と図８及び図９の例を組み合わせた例を示している。
【００５１】
尚、図１２に示しているように排水管トラップにおける立上り管部５４と排水本管２０とのそれぞれの管軸間の距離Ｌを様々に変化させることが可能であるし、また（Ｂ）に示しているように排水本管２０の一部ないし全体を蛇腹管８０にて構成することもできる。
【００５２】
図１３は本発明の実施例を示したものである。
この例では連絡管部５６の一部、詳しくは立上り管部５４側の一部を立上り管部５４に向かって下向きに傾斜する傾斜部８２とするとともに、立上り管部５４の上端部に空気溜り部兼用の補給タンク部８４を設けた例である。
【００５３】
ここで補給タンク部８４は、図１４にも示しているように立上り管部５４及び連絡管部５６よりも水平方向の幅が大きく形成されている。即ちこの例では、立上り管部５４の水路をその立上り管部５４の管軸と直角な二方向に急拡大して容器部を形成し、その容器部にて補給タンク部８４を形成している。
この補給タンク部８４は、また、その上部が連絡管部８２の図中左端よりも上向きに突出した形態を成している。
【００５４】
而して本例においては、その上向きに突出した部分の内部において主として空気溜り部としての作用が行われ、他の部分が補給タンク部として作用する。
【００５５】
この補給タンク部８４は、排水が勢い良く行われるときに、その排水の一部を排水時において内部に一時的に収容保持し、排水終了時にその収容保持した排水を排水管トラップにおける底部側へ返水する。
【００５６】
この例の排水装置の場合、補給タンク部８４が立上り管部５４の上端部に縦向きに形成されているため、排水時においてその一部を補給タンク部８４内に収容保持し、排水終了時にその収容保持した排水を排水管トラップ１８の底部５２側に戻す際に、その補給タンク部８４内に排水中に含まれていた砂やごみ等が残ってしまい、それらが次第に堆積していくといった問題を生じない利点を有している。
【００５７】
更にまたこの実施例においては、連絡管部５６における立上り管部５４側の部分がその立上り管部５４に向かって下向きに傾斜した傾斜部８２とされているため、連絡管部５６においてもその内部に砂やごみ等が残って次第に堆積するといった問題を生じない利点を有する。
即ち、連絡管部５６をほぼ水平にした場合、その内部に砂やごみ等が残って次第に堆積する問題を生じるが、本例の排水装置では連絡管部５６内部の砂やごみ等が、傾斜部８２を流れる水の作用で排水本管２０側へと排出され、連絡管部５６内に残るのが防止されている。
【００５８】
図１５は本発明の更に他の実施例を示したもので、この例は、連絡管部５６が左右方向に長くなる場合において、その連絡管部５６を互いに逆向きに傾斜する二つの傾斜部８２，８６で形成した例である。
即ち本例では、連絡管部５６が立上り管部５４側と排水本管２０側とに分けられ、そして立上り管部５４側の部分がその立上り管部５４に向かって下向きに傾斜する傾斜部８２とされ、また、排水本管２０側の部分が排水本管２０に向かって下向きに傾斜する傾斜部８６とされている。
【００５９】
このように連絡管部５６を互いに逆向きに傾斜する傾斜部８２，８６とすることで、かかる連絡管部５６を長く形成した場合においてもその連絡管部５６内部に砂やごみ等が溜るのを防止でき、それら砂，ごみ等を排水本管２０に向かって良好に排出することができる。
【００６０】
以上本発明の実施例を詳述したがこれはあくまで一例示であり、本発明はキッチンシンクからの排水を外部に排出する排水装置として適用することも可能である等、その主旨を逸脱しない範囲において種々変更を加えた形態で構成可能である。
【図面の簡単な説明】
【図１】  本発明の一参考例である排水装置を洗面化粧台の洗面器に連結した状態で示す図である。
【図２】  図１における排水装置の具体的構成を示す図である。
【図３】  図２の排水装置の要部を各部材に分解して示す図である。
【図４】  同参考例の排水装置の作用を示す図である。
【図５】  他の参考例における空気溜り部と周辺部をその作用とともに示す図である。
【図６】  更に他の参考例における空気溜り部とその周辺部を示す図である。
【図７】  更に他の参考例における空気溜り部と周辺部をその作用とともに示す図である。
【図８】  更に他の参考例の排水装置を示す図である。
【図９】  図８の排水装置の要部の断面図である。
【図１０】  図８の排水装置の作用説明図である。
【図１１】  更に他の参考例における空気溜り部とその周辺部を示す図である。
【図１２】  更に他の参考例の排水装置を示す図である。
【図１３】  本発明の実施例の排水装置を示す図である。
【図１４】  図１３の排水装置の要部の断面図である。
【図１５】  本発明の更に他の実施例における排水装置の要部の断面図である。
【図１６】  従来の排水装置の例を示す図である。
【図１７】  本発明の利点を比較説明するための比較例図である。
【符号の説明】
１２  洗面器
１８  配水管トラップ
２０  排水本管
２０Ａ  内側壁面
２０Ｂ  外側壁面
２２  排水装置
４０  立下り管部
５２  底部
５４  立上り管部
５６  連絡管部
５８  突出部
６０，６８  空気溜り部
６２，６６  角部
６４  空気層
７０  補給タンク部
７４  くびれ部
８２，８６  傾斜部
【図１】
0003711192.tif 000002
【図２】
0003711192.tif 000003
【図３】
0003711192.tif 000004
【図４】
0003711192.tif 000005
【図５】
0003711192.tif 000006
【図６】
0003711192.tif 000007
【図７】
0003711192.tif 000008
【図８】
0003711192.tif 000009
【図９】
0003711192.tif 000010
【図１０】
0003711192.tif 000011
【図１１】
0003711192.tif 000012
【図１２】
0003711192.tif 000013
【図１３】
0003711192.tif 000014
【図１４】
0003711192.tif 000015
【図１５】
0003711192.tif 000016
【図１６】
0003711192.tif 000017
【図１７】
0003711192.tif 000018